(57)【要約】【課題】  本考案は、既存の照明装置であっても簡単に通常の照明と演出用の照明とに切り替えることができる照明装置用アダプターを提供することにある。【解決手段】  本考案の照明装置用アダプター１０は、ソケットＳとランプＬとの間に取り付けるものである。照明装置用アダプター１０は、風を検知するセンサーＭ１と、センサーＭ１の出力信号に応じたゆらぎ信号を出力するゆらぎ制御部１２と、ゆらぎ信号によってランプＬの電位差を変化させる電力制御部１４とを備える。【選択図】    図１
0003111289.tif 000002
【実用新案登録請求の範囲】
【請求項１】
ソケットとランプとの間にはめ込む照明装置用アダプターであって、
前記ランプの電位差を変化させる電力制御部と、
前記電力制御部に対してランプの光をゆらがせるための信号を出力するゆらぎ制御部と、
を備える照明装置用アダプター。
【請求項２】
風を検知するセンサーを有し、前記ゆらぎ制御部が出力する信号が、前記センサーの出力信号に対応している請求項１に記載の照明装置用アダプター。
【請求項３】
前記電力制御部が、前記ゆらぎ制御部からの信号によってスイッチングをおこなう第１スイッチング素子と、
前記第１スイッチング素子のスイッチング状態によって前記ランプの電位差をスイッチングする第２スイッチング素子と、
を含む請求項２に記載の照明装置用アダプター。
【請求項４】
前記センサーがコンデンサマイクである請求項２または３に記載の照明装置用アダプター。
【請求項５】
前記センサーの出力を増幅する増幅回路と、
前記センサーの出力の内、一定の振動数以下の風の音に対応したセンサーの出力信号をカットするフィルタと、
を備えた請求項４に記載の照明装置用アダプター。
【請求項６】
前記ゆらぎ制御部にＰＷＭ信号を生成する手段を含む請求項２乃至５に記載の照明装置用アダプター。
【請求項７】
前記ソケットからの交流電圧を整流する全波整流部と、
前記第２スイッチング素子が交流電圧に同期するためのゼロクロス点を検出するゼロクロス検出部と、
を含む項３乃至６に記載の照明装置用アダプター。
【請求項８】
前記第２スイッチング素子を動作させるための電源回路となるツェナーダイオードを含む請求項３乃至７に記載の照明装置用アダプター。
【請求項９】
前記ゆらぎ制御部が出力する信号を生成するために、乱数を生成するカオス回路を含む請求項１乃至８に記載の照明装置用アダプター。
【請求項１０】
前記ゆらぎ制御部は、前記センサーが検知した風に対応した信号、前記カオス回路によって生成した乱数に基づいた信号、またはそれら両方の信号を用いて前記電力制御部に対してランプの光をゆらがせるための信号を出力する請求項９に記載の照明装置用アダプター。
【請求項１１】
前記ゆらぎ制御部は、風があるときに前記センサーが検知した風に対応した信号を使用し、風がないときに前記カオス回路によって生成した乱数に基づいた信号を使用するように切り替える手段を含む請求項１０に記載の照明装置用アダプター。
【請求項１２】
風の特定の振動数によって前記ランプへの電源をオン・オフする手段を設けた請求項１乃至１１に記載の照明装置用アダプター。
【考案の詳細な説明】
【技術分野】
【０００１】
本考案は、既存の照明装置が風に揺らぐような発光をおこなうための照明装置用アダプターに関するものである。
【背景技術】
【０００２】
従来より蛍光管、白熱電球、発光ダイオード（ＬＥＤ）などの多種多様な照明装置が開発・発売されている。それらの照明装置は、通常の照明からその場の雰囲気に合わせた演出用の照明装置、信号灯、バックライトなどの様々な装置に利用される。例えば、特許文献１のようにロウソクの持つ揺らぎを電磁石で模擬するものがある。
【０００３】
しかし、特許文献１に記載されている照明装置は、演出用にしか使用できない。すなわち、簡単に通常の照明と演出用の照明とを切り替えることができない。
【０００４】
【特許文献１】特開平６−５２７０９号公報
【考案の開示】
【考案が解決しようとする課題】
【０００５】
本考案は、既存の照明装置であっても簡単に通常の照明と演出用の照明とに切り替えることができる照明装置用アダプターを提供することにある。
【課題を解決するための手段】
【０００６】
本考案の照明装置用アダプターの要旨は、ソケットとランプとの間にはめ込む照明装置用アダプターであって、風を検知するセンサーと、前記センサーの出力信号に応じた信号を出力するゆらぎ制御部と、前記ゆらぎ制御部からの信号によって前記ランプの電位差を変化させる電力制御部とを備える。
【０００７】
前記電力制御部は、前記ゆらぎ制御部からの信号によってスイッチングをおこなう第１スイッチング素子と、前記第１スイッチング素子のスイッチング状態によって前記ランプの電位差をスイッチングする第２スイッチング素子とを含む。
【０００８】
前記センサーはコンデンサマイクを含む。
【０００９】
照明装置用アダプターは、前記センサーの出力を増幅する増幅回路と、前記センサーの出力の内、一定の振動数以下の音に対応したセンサーの出力信号をカットするフィルタとを備える。
【００１０】
前記ゆらぎ制御部は、ＰＷＭ信号を生成する手段を含む。
【００１１】
照明装置用アダプターは、前記ソケットからの交流電圧を整流する全波整流部と、前記第２スイッチング素子が交流電圧に同期するためのゼロクロス点を検出するゼロクロス検出部と、を含む。
【００１２】
照明装置用アダプターは、前記第２スイッチング素子を動作させるための電源回路となるツェナーダイオードを含む。
【００１３】
照明装置用アダプターは、風の音の特定振動数によって前記ランプへの電源をオン・オフする手段を設ける。
【００１４】
前記ゆらぎ制御部が出力する信号を生成するために、乱数を生成するカオス回路を含む。
【００１５】
前記ゆらぎ制御部は、前記センサーが検知した風に対応した信号、前記カオス回路によって生成した乱数に基づいた信号、またはそれら両方の信号を用いて前記電力制御部に対してランプの光をゆらがせるための信号を出力する。
【００１６】
前記ゆらぎ制御部は、風があるときに前記センサーが検知した風に対応した信号を使用し、風がないときに前記カオス回路によって生成した乱数に基づいた信号を使用するように切り替える手段を含む。
【００１７】
本考案の他の照明装置用アダプターの要旨は、ソケットとランプとの間にはめ込む照明装置用アダプターであって、前記ランプの電位差を変化させる電力制御部と、前記電力制御部に対して風の変化に対応したランプの光をゆらがせるための信号を出力するゆらぎ制御部と、を備える。すなわち、上記の照明装置用アダプターに対してセンサーの無い構成となる。
【考案の効果】
【００１８】
本考案によると、従来からあるランプとソケットの間に照明装置用アダプターをはめ込むだけで簡単にランプの光をゆらがせることができる。簡単に通常の照明装置と光がゆらぐ照明装置とを取り替えることができる。
【考案を実施するための最良の形態】
【００１９】
本考案に係る照明装置用アダプターの実施形態について図面を用いて説明する。本考案は、既存のランプとソケットを使用した照明装置に使用するものである。
【００２０】
図１に示すように、本考案の照明装置用アダプター１０は、ソケットＳとランプＬとの間に取り付けるものである。ソケットＳは既存の商用電源に接続されるものである。既存のあらゆる照明装置に使用することができる。照明装置としては、白熱電球、竹フィラメントランプ、ＬＥＤなどの種々のものである。
【００２１】
照明装置用アダプター１０には風を検知するセンサーＭ１が付いている。このセンサーＭ１が感知した風によってランプＬの電圧を変化させ、揺らいでいるようにする。
【００２２】
図２に示すように、照明装置用アダプター１０は、ゆらぎ制御部１２、電力制御部１４、風検出／増幅部１６、全波整流部１８、ゼロクロス検出部２０、電源部２２の６個のブロックに分けられる。詳しい構成を以下説明する。
【００２３】
照明装置用アダプター１０は、風を検知するセンサーＭ１と、センサーＭ１の出力信号に応じた信号（以下、ゆらぎ信号）を出力するゆらぎ制御部１２と、ゆらぎ信号によってランプＬの電位差を変化させる電力制御部１４とを備える。
【００２４】
電力制御部１４は、ゆらぎ制御部１２からのゆらぎ信号によってスイッチングをおこなう第１スイッチング素子Ｔ１と、第１スイッチング素子Ｔ１のスイッチング状態によってランプＬの電位差をスイッチングする第２スイッチング素子Ｔ２とを含む。
【００２５】
例えば、第１スイッチング素子Ｔ１はｎｐｎトランジスタであり、第２スイッチング素子Ｔ２はＦＥＴである。第１スイッチング素子Ｔ１のスイッチング状態によって電源部２２から第２スイッチング素子Ｔ２のゲートに印加される電圧が変化する。第２スイッチング素子Ｔ２のスイッチングによってランプＬに印加される電圧の電位差を制御することができる。スイッチングは後述するようにソケットＳからアダプター１０に印加される商用電力の周波数に同期しておこなわれる。このためヒートシンクは不要となる。また、ランプＬは例えば６０Ｗまで使用できるようにする。
【００２６】
センサーＭ１はコンデンサマイクを使用する。コンデンサマイクの振動板は、薄くて軽い金属膜で出来ておりほんのわずかな音にも敏感に反応するものである。本発明は、風の音の振動数を高感度のコンデンサマイクによって検知することとなる。
【００２７】
風検出／増幅部１６は、センサーＭ１の出力を増幅する増幅回路と、センサーＭ１の出力の内、一定の振動数以下の風音に対応したセンサーＭ１の出力信号をカットするフィルタとを備えてもよい。すなわち、コンデンサマイクからの信号を増幅・フィルタリングすることによって風を検知することができる。例えばオペアンプＯＰを複数用いることによって増幅・フィルタリングをおこなう。また、風の検知を正確にするために、約１０Ｈｚ以下の音の振動数に対応するセンサーＭ１からの信号はフィルタによってカットする。なお、本明細書の説明の都合上、風検出／増幅部１６の出力信号をセンサーＭ１の出力信号と同視して説明する。
【００２８】
ゆらぎ制御部１２にはマイコンＵ１およびカオス回路Ｕ２を設け、マイコンＵ１の演算によってセンサーＭ１からの出力信号および／またはカオス回路Ｕ２が生成した乱数の信号に対応したゆらぎ信号を出力する。ゆらぎ制御部１２は、センサーＭ１からの出力に対応した信号および／またはカオス回路１２の出力信号によって、マイコンＵ１の回路およびソフトウェアがランプＬの光を揺らがせるための信号を生成する。カオス回路１２は、センサーＭ１の出力に応じて信号を出力しても良いし、カオス回路１２自身で信号を生成して出力しても良い。すなわちカオス回路１２が出力する上記乱数の信号はセンサーＭ１が風を検知して出力する信号の代わりとなる場合がある。
【００２９】
カオス回路Ｕ２で扱う信号は、以下の（１）〜（３）のいずれかをおこなう回路（ハードウェア）やソフトウェアで扱われる。（１）乱数列を発生する関数を用いるもの、（２）前記（１）のような数列を前もって記載したテーブルあるいは受信した乱数をある一定の規則に従ってテーブルに配置するもの、（３）センサーＭ１を含む風検出／増幅部１６のように別のセンサーを装備して、ランダムノイズを検出し、マイコンＵ１への直接信号とするか、あるいはカオス回路Ｕ２の乱数を発生させるための初期値であるシードとするものがある。センサーＭ１とは別のセンサーの一例としては音センサー、光センサー、赤外線センサー等がある。上記別のセンサーが受信したランダム信号をカオス回路Ｕ２の入力とし、回路で変換された信号をカオス回路Ｕ２の出力とする。
【００３０】
カオス回路Ｕ２の一例として、関数によるものは、既存の乱数生成回路としてＲＣ４、ＳＨＡ、ＳＥＡＬ、その他暗号化関数を用いても良いし、簡易乱数やハッシュ関数などを用いても良い。これらの乱数には、一様乱数、二項分布にしたがう乱数、ポアソン乱数、離散分布にしたがう乱数、指数乱数、ガンマ分布にしたがう乱数などが含まれる。
【００３１】
マイコンＵ１の中にカオス回路Ｕ２を含む構成であっても良い。ゆらぎをマイコンＵ１やカオス回路Ｕ２のソフトウェアで対応すると、ゆらぎのパターンの変更によってアダプター１０の構成部品点数が増加することはなく、ゆらぎのパターン変更に柔軟に対応することができる。例えば８ビットマイコンを採用することによって、照明装置用アダプター１０の小型化と低コスト化が可能となり、消費電力も小さくなる。なお、ＩＣＳＰ（in circuit serial programming）でプログラムの書き換えができる構成とすれば、プログラムの書き換えが容易となる。
【００３２】
センサーＭ１とカオス回路Ｕ２との関係において、マイコンＵ１がゆらぎ信号を生成するために使用する信号は、（ａ）センサーＭ１の信号、（ｂ）カオス回路Ｕ２の信号、（ｃ）センサーＭ１の信号とカオス回路Ｕ２からの信号の両方の信号、の３パターンがある。上記（ａ）〜（ｃ）のいずれかになるようにマイコンＵ１の中に回路またはソフトウェアを組み込む。上記（ｃ）の場合、両方の信号を加算、減算、乗算、除算のいずれか１つまたは複数のコンビネーションをさせ、かつ両方の信号を同期または非同期させるようにマイコンU１を構成する。
【００３３】
上記（１）や（２）の構成であれば、ゆらぎ制御部１２は、風があるときはセンサーＭ１からの信号を基にゆらぎ信号を生成し、風がないときはカオス回路Ｕ２のみによってゆらぎ信号を生成する構成であっても良い。センサーＭ１からの信号がゆらぎ制御部１２に入力されないときに、カオス回路Ｕ２の信号に切り替える手段（ハードウェアおよびソフトウェア）をマイコンＵ１の中に組み込む。風がないときであってもランプＬの光がゆらぐ。
【００３４】
また、上記（３）の構成であれば、カオス回路Ｕ２が常に起動する構成である。マイコンＵ１はセンサーＭ１からの信号とカオス回路Ｕ２からの信号を演算することによってゆらぎ信号を生成するように、マイコンＵ１のハードウェアおよびソフトウェアを構成する。
【００３５】
ゆらぎ制御部１２にＰＷＭ（pulse
width modulation）信号を生成する手段を含む。この手段はマイコンＵ１の中の回路やソフトウェアである。マイコンＵ１から出力されるゆらぎ信号は、パルス幅変調された信号である。電力制御部１４でおこなわれるスイッチングが徐々に変化し、ランプＬの光がゆれることとなる。
【００３６】
上述したゆらぎのパターンについてまとめると、（Ａ）センサーＭ１からの風のゆらぎ、（Ｂ）カオス回路Ｕ２のみのゆらぎ、（Ｃ）センサーＭ１とカオス回路Ｕ２のゆらぎがある。
【００３７】
ソケットＳからの交流電圧を整流する全波整流部１８と、第２スイッチング素子Ｔ２が交流電圧に同期するための交流電圧が０Ｖとなるゼロクロス点を検出するゼロクロス検出部２０とを含む。全波整流部１８は例えばダイオードのブリッジ回路で整流をおこなう。ゼロクロス検出部２０は抵抗とコンデンサを直並列させて構成する。商用電源の周波数に合わせてランプＬへのスイッチングがおこなわれることとなる。
【００３８】
電源部２２は、第２スイッチング素子Ｔ２を動作させるための電源回路となるツェナーダイオードを含む。ゆらぎ制御部１２、電力制御部１４、風検出／増幅部１６などへの電源は、ツェナーダイオードによる定電圧回路によって構成される。これは、風検出／増幅部１６、ゆらぎ制御１２を合わせても数ｍＡの電流しか流れず、アダプター１０の小型化を行うためである。ツェナーダイオードでＦＥＴドライブ電源と制御用電源を生成する。
【００３９】
上述したように、本考案は風を振動で検知するという発想を基に、その振動に対応したゆらぎ信号によるスイッチングによってランプＬの電位差を変化させ、ランプＬの光が風にゆらいでいるようにすることができる。すなわち、コンデンサマイクＭ１を風圧センサーとして応用している。
【００４０】
従来からあるソケットＳとランプＬの間に本考案のアダプター１０を取り付けるだけで光が風にゆらぐようにすることができる。必要に応じて照明装置用アダプター１０を取り付け取り外しができるため、既存の装置を改造などしなくても良く、経済的にも良い。
【００４１】
以上、本考案の実施形態について説明したが、本考案の実施形態は上述の実施形態に限定されるものではない。例えば、風の音によってはランプＬの電源がオフになるように構成しても良い。人がフッと息を吹き付けたり、風が強かった場合に電源がオフになるようにする。例えば、そのような風の音の振動数に対応するセンサーＭ１からの出力信号に応じてマイコンＵ１からのゆらぎ信号を変化させたり、またはランプＬの電源をオフにする回路を設ける。
【００４２】
また、風の音によってランプＬの電源をオンにする構成であっても良い。例えば、ある風の音の振動数に対応するセンサーＭ１からの出力信号に応じてマイコンＵ１からのゆらぎ信号を変化させたり、ランプＬの電源をオンにする回路を設ける。人がセンサーＭ１に息を吹き付けることによってランプＬのオン・オフができる。
【００４３】
さらに、センサーＭ１を初めとした風検出／増幅部１６の無い構成であってもよい。カオス回路Ｕ２が常に動作し、マイコンＵ１とカオス回路Ｕ２によって常にゆらぎ信号が第１スイッチング素子Ｔ１に印加されるように構成する。ゆらぎ信号は、照明装置用アダプター１０に対して風圧が変化するのと同じように変化させる。常に光が揺らいでいるようにすることができる。
【００４４】
なお、図１の照明装置用アダプター１０は、図中のｘ方向、ｙ方向の大きさは任意である。ｙ方向の大きさが十分にとれない場合は、ｘ方向の大きさを大きくする。図２に示した回路ブロックは一例であり、本考案の主旨を逸脱しない回路ブロックであれば他の回路ブロックであっても良い。
【００４５】
上述の実施形態においてセンサーＭ１はコンデンサマイクを使用したが、風圧センサーなど他のセンサーを使用しても良い。センサーＭ１は、風を検知する以外に、音センサー、光センサー、赤外線センサー等を用い、センサーＭ１が受信するランダムノイズによる信号をマイコンＭ１によって処理してランプＬに印加する電圧を変化させる。無風状態であってもセンサーＭ１がその種類に応じたランダムノイズを受信することによってランプＬの光が変化する。これらのセンサーＭ１と上述したカオス回路Ｕ１との組み合わせは上記と同様である。
【００４６】
その他、本考案は、その主旨を逸脱しない範囲で当業者の知識に基づき種々の改良、修正、変更を加えた態様で実施できるものである。
【図面の簡単な説明】
【００４７】
【図１】本考案の照明装置用アダプターの外観の一例を示す図である。
【図２】照明装置用アダプターの回路ブロックを示す図である。
【符号の説明】
【００４８】
１０：照明装置用アダプター
１２：ゆらぎ制御部
１４：電力制御部
１６：風検出／増幅部
１８：全波整流部
２０：ゼロクロス検出部
２２：電源部
【図１】
0003111289.tif 000003
【図２】
0003111289.tif 000004